(57)【要約】【課題】  複数頁の原稿を読み取るとき、読み取り原稿に修正が生じても、素早く再読取に移ることができるようにする。【解決手段】  原稿読取部３は、原稿を給紙して表面の画像を光学的に読み取って画像データを取得する。表示部７は、読み取った画像データを表示する。入力部７は、原稿の読み取り続行を指示入力する。読取制御部５１は、原稿の先頭数頁未満分を読み取るよう原稿読取部３を読取制御し、読み取った画像データを表示部７に表示制御する。読取制御部５１は、入力部７からの指示入力に基づき原稿読取部３に対する原稿の読み取り続行又は中止を制御する。【選択図】  図１
2010161443.tif 000002
【特許請求の範囲】
【請求項１】
原稿を給紙して表面の画像を光学的に読み取って画像データを取得する原稿読取部と、
読み取った前記画像データを表示する表示部と、
前記原稿の読み取り続行を指示入力する入力部と、
前記原稿の先頭数頁未満分を読み取るよう前記原稿読取部を読取制御し、読み取った前記画像データを前記表示部に表示制御するとともに、前記入力部からの指示入力に基づき前記原稿読取部に対する前記原稿の読み取り続行又は中止を制御する読取制御部と、
を具備することを特徴とする原稿読取装置。
【請求項２】
前記読取制御部は、先頭１頁分を読み取るよう前記原稿読取部を読取制御する請求項１記載の原稿読取装置。
【請求項３】
前記読取制御部は、読み取った前記画像データを前記表示部にサムネイル表示制御する請求項１又は２記載の原稿読取装置。
【請求項４】
前記読取制御部は、前記原稿の読み取り続行指示があったとき、前記先頭数頁未満分を含め読み取った前記画像データを記憶部に記憶制御する請求項１〜３いずれか１記載の原稿読取装置。
【請求項５】
前記請求項１〜４いずれか１記載の原稿読取装置を具備し、読み取った前記画像データを画像形成する画像形成部を有することを特徴とする画像形成装置。
【請求項６】
原稿を給紙して表面を光学的に読み取って画像データを取得する原稿読取部を制御し、前記原稿の先頭数頁未満分を読み取る事前画像読取工程と、
読み取った前記画像データを表示部に表示する表示工程と、
前記原稿の読み取り続行又は中止の指示入力を入力部から受ける入力工程と、
前記入力部からの前記指示入力に基づき前記原稿読取部に対する前記原稿の読み取り続行又は中止を制御する読取制御工程と、
を具備することを特徴とする原稿読取方法。
【請求項７】
前記事前画像読取工程は、前記原稿読取部を読取制御して先頭１頁分を読み取る請求項６記載の原稿読取方法。
【請求項８】
前記読取制御工程は、前記画像データを前記表示部にサムネイル表示制御する請求項６又は７記載の原稿読取方法。
【請求項９】
前記読取制御工程は、前記原稿の読み取り続行指示があったとき、前記先頭数頁未満分を含め読み取った前記画像データを記憶部に記憶制御する請求項６〜８いずれか１記載の原稿読取方法。
【発明の詳細な説明】
【技術分野】
【０００１】
本発明は原稿読取装置、画像形成装置および画像読取方法に係り、原稿に表示された画像を読み取る原稿読取装置、およびこれを搭載した複写機、ファクシミリ機、複合機（ＭＦＰ：Multi Function Peripheral）等の画像形成装置および画像読取方法の改良に関する。
【背景技術】
【０００２】
従来、この原稿読取装置を備えた画像形成装置においては、複数頁の原稿から画像データの読み取りが可能なように、自動原稿搬送装置（ＡＤＦ）を搭載して自動原稿読取機能を実行できるようになっている。
【０００３】
ところが、従来の原稿読取装置では、図５Ａに示すように、自動給紙装置で給紙された原稿から複数頁分の画像データを読み取り、全ての読取が終了してから表示部にプレビュー表示し、プレビュー確認してから印刷指示して印刷が実行されるようになっていたから、画像データに修正が発生する場合には、再度、読み込み作業が発生し易く、全ての原稿の読み込みを２度行うという無駄な読み込み時間が発生する心配があり、工夫が必要である。
【０００４】
そこで、例えば特開２００６−１６６２１９号公報（特許文献１）の画像処理装置が提案されている。
【０００５】
この特許文献１は、 大量のページの原稿を分割して蓄積読込する連続読込処理において、連続読込処理中に記憶装置に蓄積された画像データを画像確認画面でプレビュー表示し、プレビュー表示された特定の画像に異常が認められたとき、その特定の原稿の再読込を制御することで、蓄積処理された連続原稿画像の異常原稿を容易に確認し、異常原稿の破棄、読み直しを可能にして後続する原稿画像読み取りの連続処理を容易にしたものである。
【特許文献１】特開２００６−１６６２１９号公報
【発明の開示】
【発明が解決しようとする課題】
【０００６】
しかしながら、上述した特許文献１では、大量のページ原稿を分割して蓄積読込する連続読込処理において、分割された連続原稿の間の良好な画像蓄積が可能ではあるが、分割された個々の原稿単位での考慮がなされておらず、分割された個々の原稿の読取時に、画像データの修正が発生する場合、再度、読み込み作業が発生し易く、更なる改良が必要である。
【０００７】
そこで、本発明者は、原稿読取装置の構成に加えて、読取原稿の形態について鋭意観察した結果、複数頁の原稿であっても、最初の数頁、特に、第１頁の取込形態を確認すれば、その後の頁の確認が不要になり易い点を見出し、本発明を完成させた。
【０００８】
本発明はそのような課題を解決するためになされたもので、読み取る原稿に修正が生じても、素早く再読取に移ることが可能で、読取り操作性を向上させ易い原稿読取装置、画像形成装置および画像読取方法の提供を目的とする。
【課題を解決するための手段】
【０００９】
そのような課題を解決するために本発明の請求項１に係る原稿読取装置は、原稿を給紙して表面の画像を光学的に読み取って画像データを取得する原稿読取部と、読み取った画像データを表示する表示部と、その原稿の読み取り続行を指示入力する入力部と、その原稿の先頭数頁未満分を読み取るようその原稿読取部を読取制御し、読み取った画像データをその表示部に表示制御するとともに、その入力部からの指示入力に基づき原稿読取部に対する原稿の読み取り続行又は中止を制御する読取制御部と、を具備している。
【００１０】
本発明の請求項２に係る原稿読取装置は、上記読取制御部が、先頭１頁分を読み取るようその原稿読取部を読取制御する構成を有している。
【００１１】
本発明の請求項３に係る原稿読取装置は、上記読取制御部が、読み取った画像データをその表示部にサムネイル表示制御する構成を有している。
【００１２】
本発明の請求項４に係る原稿読取装置は、上記読取制御部が、その原稿の読み取り続行指示があったとき、その先頭数頁未満分を含め読み取った画像データを記憶部に記憶制御する構成を有している。
【００１３】
本発明の請求項５に係る画像形成装置は、それらいずれかの原稿読取装置を具備し、読み取った画像データを画像形成する画像形成部を有する構成を有している。
【００１４】
本発明の請求項６に係る原稿読取方法は、原稿を給紙して表面を光学的に読み取って画像データを取得する原稿読取部を制御し、その原稿の先頭数頁未満分を読み取る事前画像読取工程と、読み取った画像データを表示部に表示する表示工程と、その原稿の読み取り続行又は中止の指示入力を入力部から受ける入力工程と、その入力部からの指示入力に基づきその原稿読取部に対する原稿の読み取り続行又は中止を制御する読取制御工程と、を具備している。
【００１５】
本発明の請求項７に係る原稿読取方法は、上記事前画像読取工程で、その原稿読取部を読取制御して先頭１頁分を読み取る構成を有している。
【００１６】
本発明の請求項８に係る原稿読取方法は、上記読取制御工程で、その画像データを表示部にサムネイル表示制御する構成を有している。
【００１７】
本発明の請求項９に係る原稿読取方法は、上記読取制御工程が、その原稿の読み取り続行指示があったとき、その先頭数頁未満分を含め読み取った画像データを記憶部に記憶制御する構成を有している。
【発明の効果】
【００１８】
このような本発明の請求項１、６に係る原稿読取装置および原稿読取方法では、原稿から画像データを取得する原稿読取部を制御してその原稿の先頭数頁未満分を事前に読み取り、読み取った画像データを表示部に表示し、その原稿の読み取り続行又は中止の指示入力に基づき、その原稿読取部に対する原稿の読み取り続行又は中止を制御するから、読み取る原稿に修正が生じても、素早く再読取に移ることが可能で、読取り操作性を向上させ易い。
【００１９】
本発明の請求項２、７に係る原稿読取装置および原稿読取方法では、その原稿読取部を読取制御して先頭１頁分を読み取るから、より一層素早く再読取に移ることが可能で、読取り操作性をさらに向上させ易い。
【００２０】
本発明の請求項３、８に係る原稿読取装置および原稿読取方法では、その画像データを表示部にサムネイル表示制御するから、小形の表示部を使用しても、表示画像の適否の判別が容易である。
【００２１】
本発明の請求項４、９に係る原稿読取装置および原稿読取方法では、その原稿の読み取り続行指示があったとき、その先頭数頁未満分を含め読み取った画像データを記憶部に記憶制御するから、表示画像の適否の判別に用いる画像データの容量が小さく、記憶部の使用領域を減少させるとともに読み書きを高速化可能である。
【００２２】
本発明の請求項５に係る画像形成装置では、それらの原稿読取装置を具備し、読み取った画像データを画像形成する画像形成部を有する構成になっているから、高速の画像形成が可能である。
【発明を実施するための最良の形態】
【００２３】
以下、本発明に係る原稿読取装置、画像形成装置および画像読取方法の実施の形態を図面を参照して説明する。なお、本発明の原稿読取装置および画像読取方法は本発明の画像形成装置を説明する過程で説明する。
【００２４】
図１は、本発明に係る画像形成装置Ａの実施の形態を示す構成図である。
【００２５】
画像形成装置Ａは、印刷制御部１を中心にして原稿読取部３、記憶部５、操作パネル部７、印刷部９および送受信部１１を有し、例えば複合機（ＭＦＰ）を構成している。なお、画像形成装置Ａは、これ以外にも構成を有するが、本発明の要旨ではないので説明および図示を省略する。
【００２６】
原稿読取部３は、後述するように自動給紙した原稿１３から表面画像を光学的に読み取るとともに画像データを生成するスキャナであり、印刷制御部１の制御の下、頁毎の画像データが記憶部５に記憶されるようになっている。原稿読取部３の詳細は後述する。
【００２７】
記憶部５は、印刷制御部１の制御の下、原稿読取部３からの読取り画像データや送受信部１１からの後述する受信画像データを記憶する他、印刷制御部１の動作プログラムを記憶した読み書き可能な例えばハードディスクである。
【００２８】
操作パネル部７は、図２に示す本体ケース１５の上部に配置され（図２では図示省略）、印刷制御部１の制御の下、種々の動作状態の表示が可能な表示部としての公知の液晶表示パネルと、装置の動作に係る画像が表示された箇所をタッチすることによって原稿からの読み取りを受付ける入力部としての機能を有している。
【００２９】
操作パネル部７は、例えば図３に示すように、印刷（コピー）処理、プリンタ処理、スキャナ処理、ファクシミリ送受信処理等の種々の操作指示や選択をする選択キー７ａの他、それらの操作に係る設定項目の設定変更を入力する公知の例えばテンキー７ｂ、スタートキー７ｃ、ストップキー７ｄの他、装置の動作状況を表示する表示パネル部７ｅ等を有するタッチ式キーボードを有している。
【００３０】
入力情報は、主制御部１に出力され、後述するように、スタートキー７ｃによって原稿１３の読み取り続行が、ストップキー７ｄによって原稿１３の読み取り中止を指示入力できるようになっており、読み取られた画像データの第１頁のサムネイル画像が表示パネル部７ｅに表示される。
【００３１】
印刷部９は、図２の本体ケース１５に配置され、シート材がセットされる複数の給紙部と、上述した画像データから印刷画像イメージデータに展開してトナーカセットからのトナーでトナー現像してシート材にトナー像を転写する転写部と、転写されたシート材の転写画像を定着する定着部等と、を有する画像形成部としてのカラー又はモノクロ印刷エンジンである。
【００３２】
送受信部１１は、所定のプロトコルに従い、ネットワークＮＴを介してコンピュータ等の情報処理装置Ｂとの間で種々の情報を送受信するインターフェース部である。
【００３３】
印刷制御部１は、ＣＰＵやこのＣＰＵの動作プログラムを格納したＲＯＭを有して形成されており、上述した原稿読取部３、記憶部５、操作パネル部７、印刷部９および送受信部１１等を制御するとともに、複合機の図示しない機能部を制御している。その他の機能は後述する。
【００３４】
次に、上述した原稿読取部３を図２を参照して説明する。
【００３５】
図２において、本体ケース１５の上側には透明なコンタクトガラス１７、１９が配置されており、コンタクトガラス１７は、細長い長方形を有し、読み取る原稿１３の主走査方向（原稿の搬送方向に直交する方向）に沿って本体ケース１５の側部に寄せて配置されている。
【００３６】
コンタクトガラス１９は、原稿１３の寸法より大形の方形形状を有し、コンタクトガラス１７の近傍からコンタクトガラス１７とは反対方向に延びるように配置されている。
【００３７】
本体ケース１５内部において、コンタクトガラス１７の近傍直下には、コンタクトガラス１７上に位置する原稿１３に向けて光を発光照射する例えば発光ダイオード等からなるライン状の光源２１と、コンタクトガラス１７側からの反射光を受けて反射するミラー２３と、これらを収納する収納部２５からなる画像読取部２７が形成されている。
【００３８】
画像読取部２７は、本体ケース１５内部に配置された移動部２９に連結されており、コンタクトガラス１７の近傍直下を始端とし、コンタクトガラス１９に沿ってこれと並行に図中右端に向けて所定のタイミングで間欠移動するとともに、終端に至ったとき始端に向けて戻るよう、移動部２９によって往復動制御されている。
【００３９】
なお、本発明の原稿読取装置は、主に、コンタクトガラス１７上に位置する原稿１３から画像を読み取る構成において有用である。
【００４０】
本体ケース１５内において、ミラー２３からの反射光の光軸上には、ミラー３１、３３、集光レンズ３５および変換部３７が配置され、光学系が形成されている。
【００４１】
変換部３７は、例えばＣＣＤ（charge coupled device）からなり、ミラー３１、３３で屈曲導光され、集光レンズ３５で集光された画像読取部２７からの反射光に基づき、この光量に応じたレベルの多値電気信号にデジタル変換した画像データを演算部３９に出力するものである。
【００４２】
演算部３９は、例えば、画像データに対して種々のフィルタ処理演算や拡大縮小等の加工処理演算して印刷制御部１に出力するものである。
【００４３】
本体ケース１５には、コンタクトガラス１７、１９を覆うようにして自動原稿搬送部４１が載置され、図示しないヒンジ機構によって当該端部が本体ケース１５に固定され、扇状に変位可能になっている。自動原稿搬送部４１がコンタクトガラス１７、１９に重ねられた状態では、コンタクトガラス１９に載置した原稿１３が押圧されるようになっている。
【００４４】
自動原稿搬送部４１は、その本体部４３がコンタクトガラス１７の上側に位置し、この本体部４３から延びる原稿トレイ４５および排紙トレイ４７がコンタクトガラス１９の上側に位置するようになっている。
【００４５】
自動原稿搬送部４１の本体部４３内には、原稿トレイ４５から原稿１３を給紙して画像読取部２７近傍を介してループ状に搬送し、排紙トレイ４７に排紙させる移動部としての複数の搬送用ローラ４９が配置されている。
【００４６】
本体部４３は、画像読取部２７近傍において、光源２１からの照射光を内部に導光して原稿１３に照射し、画像読取部２７側に照射光を反射できるようになっている。
【００４７】
複数の搬送用ローラ４９は、後述する読取制御部５１によって回転制御されている。
【００４８】
読取制御部５１は、上述した印刷制御部１の機能の一部であり、以下のような機能を有している。
【００４９】
すなわち、読取制御部５１は、原稿１３の先頭第１頁分を読み取るよう原稿読取部３を読取制御し、読み取った画像データを記憶部５に記憶制御し、記憶部５の画像データからサムネイル画像を作成制御してこれを操作パネル部７の表示パネル部７ｅに表示制御するとともに、スタートキー７ｃやストップ７ｄからの指示入力に基づき原稿読取部３に対する原稿１３の読み取り続行又は中止を制御する機能を有している。
【００５０】
読取制御部５１は、スタートキー７ｃから続行の指示入力があれば、原稿読取部３に対する原稿１３の第２頁以降の読み取りを続行制御する一方、ストップキー７ｄから中止の指示入力があれば、原稿読取部３に対する原稿１３の読み取り中止を制御して終了する機能を有している。
【００５１】
読取制御部５１は、原稿読取部３に対する原稿１３の第２頁以降の読み取りを続行制御したとき、先頭の第１頁分を含め読み取った画像データを記憶部５に記憶制御する機能も有している。
【００５２】
次に、本発明に係る原稿読取装置の動作を簡単に説明する。
【００５３】
図２に示すように、原稿１３を自動原稿搬送部４１の原稿トレイ４５にセットし、スタートキー７ｃを操作して読み取り動作を開始させると、読取制御部５１の制御によってローラ４９が原稿トレイ４５から原稿１３の第１頁分（１枚）を給紙してループ状に搬送し、排紙トレイ４７に排紙させる。
【００５４】
この過程で、画像読取部２７がコンタクトガラス１７上に位置する原稿１３に向けて光を照射し、原稿１３から反射光を受け、ミラー２３、３１、３３、集光レンズ３５を介して変換部３７にて光量に応じたレベルの多値電気信号にデジタル変換し、演算部３９から画像データが印刷制御部１へ出力される。
【００５５】
読取制御部５１は、読み取った画像データからサムネイル画像を作成してこれを操作パネル部７の表示パネル部７ｅに表示制御して表示させる（表示工程）。
【００５６】
操作パネル部７の表示パネル部７ｅに表示されたサムネイル画像が、正常であって使用者が操作パネル部７のスタートキー７ｃから続行を指示入力すれば、読取制御部５１が原稿読取部３に対する原稿１３の第２頁以降の読み取りを続行制御し、先頭の第１頁分を含め読み取った画像データを記憶部５に記憶制御する。その後、印刷部９によって印刷処理が実行される。
【００５７】
他方、例えば図４Ａのように、読取濃度設置が誤っていて画像が黒みがかってしまった場合や、同図Ｂのように、原稿１３の位置がずれてしまった場合、使用者が操作パネル部７のストップキー７ｄから中止を指示入力すれば（入力工程）、原稿読取部３に対する原稿１３の読み取り中止が制御されて終了する。
【００５８】
すなわち、原稿読取部３による原稿１３の第１頁分の読み取りは、事前画像読取工程であり、第２頁以降の読み取り制御が読取制御工程である。
【００５９】
このように本発明の原稿読取装置は、原稿１３を自動給紙して表面の画像を光学的に読み取って画像データを取得する原稿読取部３と、読み取った画像データを表示する操作パネル部（表示部）７と、その原稿１３の読み取り続行を指示入力する操作パネル部（入力部）７と、その原稿１３の先頭１頁分を読み取るよう原稿読取部３を読取制御し、読み取った画像データを操作パネル部７にサムネイル表示制御するとともに、操作パネル部７からの指示入力に基づき原稿読取部３に対する原稿１３の読み取り続行又は中止を制御する読取制御部５１と、を具備している。
【００６０】
そのため、原稿読取部３で原稿１３を自動給紙して読み取り、その読み取り原稿１３に修正が生じても、読み取った原稿が１頁分であるから、図５Ｂに示すように、極めて素早く再読取に移ることが可能で、読取り操作性を向上させ易いし、その画像データを表示部にサムネイル表示制御するから、小形の表示部を使用しても、表示画像の適否の判別が容易である。
【００６１】
もっとも、本発明の原稿読取装置では、必ずしも原稿１３の先頭１頁分を事前に読み取る構成に限定されず、その原稿１３の先頭数頁未満分を読み取るよう読取制御部５１で原稿読取部３を制御すれば、本発明の目的達成が可能であるし、操作パネル部７にサムネイル画像を表示する構成に限らず、読取画像データ自体を操作パネル部７に画像表示する構成であっても良い。
【００６２】
また、本発明の原稿読取装置では、原稿１３の読み取り続行指示があったとき、その先頭数頁未満分を含め読み取った画像データを記憶部５に記憶制御すれば、表示画像の適否の判別に用いる画像データの容量が小さく、記憶部５の使用領域を減少させるとともに読み書きを高速化可能である。
【００６３】
そして、本発明の原稿読取方法は、上述した原稿読取装置と同様の効果を有するし、上述した原稿読取装置を具備して画像形成装置を構成すれば、高速の画像形成が可能である。
【図面の簡単な説明】
【００６４】
【図１】本発明に係る原稿読取装置を搭載した画像形成装置の実施の形態を示すブロック図である。
【図２】本発明に係る原稿読取装置の要部を示す要部構成図である。
【図３】本発明に係る原稿読取装置の操作パネル部を説明する図である。
【図４】本発明に係る原稿読取装置の動作を説明する図である。
【図５】従来および本発明に係る原稿読取装置の使用例を説明する図である。
【符号の説明】
【００６５】
１  印刷制御部
３  原稿読取部
５  記憶部
７  操作パネル部（表示部、入力部）
７ａ  選択キー
７ｂ  テンキー
７ｃ  スタートキー
７ｄ  ストップキー
７ｅ  表示パネル部
９  印刷部
１１  送受信部
１３  原稿
１５  本体ケース
１７、１９  コンタクトガラス
２１  光源
２３、３１、３３  ミラー
２５  収納部 
２７  画像読取部
２９  移動部
３５  集光レンズ
３７  変換部
３９  演算部
４１  自動原稿搬送部
４３  本体部
４５  原稿トレイ
４７  排紙トレイ
４９  ローラ
５１  読取制御部
Ａ  画像形成装置
Ｂ  情報処理装置
ＮＴ  ネットワーク
【図１】
2010161443.tif 000003
【図２】
2010161443.tif 000004
【図３】
2010161443.tif 000005
【図４】
2010161443.tif 000006
【図５】
2010161443.tif 000007